(57)【要約】【課題】諸収差が良好に補正され、ズーム比が２０倍程度と高倍率で、かつ広角端の画角が７５°以上と大きい高倍率広角ズームレンズを提供すること。【解決手段】物体側から像面側に向けて順に、正の屈折力の第１レンズ群Ｇ1、負の屈折力の第２レンズ群Ｇ2、正の屈折力の第３レンズ群Ｇ3、正の屈折力の第4レンズ群Ｇ4の4つレンズ群より成り、広角端から望遠端までレンズ位置が変化する際に、前記第2レンズ群Ｇ2が像側へ移動すると共に、前記4レンズ群Ｇ4が像面位置の変動を補償するように移動し、上記の第1レンズ群Ｇ1と第3レンズ群Ｇ3が光軸方向に固定され、ｆ１：第１レンズ群、ｆ２：第２レンズ群とするとき、      条件式（１）  |ｆ１/ｆ2|＞６.５を満たすことを特徴とする高倍率広角ズームレンズ。【選択図】図１
2009294388.tif 000002
【特許請求の範囲】
【請求項１】
物体側から像面側に向けて順に、正の屈折力の第１レンズ群Ｇ1、負の屈折力の第２レンズ群Ｇ2、正の屈折力の第３レンズ群Ｇ3、正の屈折力の第4レンズ群Ｇ4の4つレンズ群より成り、広角端から望遠端までレンズ位置が変化する際に、前記第2レンズ群Ｇ2が像側へ移動すると共に、前記4レンズ群Ｇ4が像面位置の変動を補償するように移動し、上記の第1レンズ群Ｇ1と第3レンズ群Ｇ3が光軸方向に固定され、ｆ１：第１レンズ群、ｆ２：第２レンズ群とするとき、
条件式（１）  |ｆ１/ｆ2|＞6.５
を満たすことを特徴とする高倍率広角ズームレンズ。
【請求項２】
ｆ1・1：第１レンズ群の第１レンズの焦点距離、ν1・１：第１レンズ群の第１レンズのアッベ数、ｆｗ：広角端の焦点距離とするとき、
条件式（２）  ０．４＜|ｆ1・1／（ν1×ｆｗ）|＜０．６
をさらに満たすことを特徴とする請求項１に記載の高倍率広角ズームレンズ。
【請求項３】
物体側から像面側に向けて順に、正の屈折力の第１レンズ群Ｇ1、負の屈折力の第２レンズ群Ｇ2、正の屈折力の第３レンズ群Ｇ3、正の屈折力の第4レンズ群Ｇ4の4つレンズ群より成り、広角端から望遠端までレンズ位置が変化する際に、前記第2レンズ群Ｇ2が像側へ移動すると共に、前記4レンズ群Ｇ4が像面位置の変動を補償するように移動し、上記の第1レンズ群Ｇ1と第3レンズ群Ｇ3が光軸方向に固定され、ｆ１：第１レンズ群、ｆ２：第２レンズ群、ｆ1・1：第１レンズ群の第１レンズの焦点距離、ν1・１：第１レンズ群の第１レンズのアッベ数、ｆｗ：広角端の焦点距離とするとき、
条件式（１）  |ｆ１/ｆ2|＞6.５
条件式（２）  ０．４＜|ｆ1・1／（ν1×ｆｗ）|＜０．６
を満たし、第２レンズ群の少なくとも一面が非球面であることを特徴とする高倍率広角ズームレンズである。
【発明の詳細な説明】
【技術分野】
【０００１】
本発明は、ビデオカメラやデジタルスチルカメラ等において、複数の撮像素子を用いる方式のカメラに好適な２０倍程度の高倍率であって、さらに全画角2ω＝75°を超える広角の高倍率広角ズームレンズに関する。
【背景技術】
【０００２】
複数の撮像素子を用いたカメラにおいては、バックフォーカスすなわちレンズの最後面から結像位置までの距離が長いことが要求される。被写体像を光電変換素子に光電変換するビデオカメラやデジタルスチルカメラに好適に使用できる高倍率広角ズームレンズとしては、正・負・正・正の屈折力配置を有する4群ズームレンズが知られている。
【０００３】
一方、従来のズーム比の大きなレンズ光学系においては、広角端において画角が小さく、より短焦点すなわちより広角な高倍率広角ズームレンズが望まれている。
【０００４】
例えば、複数枚のレンズによって構成された第3レンズ群の一部の3枚レンズを光軸に対して垂直に移動させることにより、手振れによる像の移動を補正している（例えば、特許文献参照１）。
また、防振群が小型化を実現した例としては、複数枚のレンズによって構成された第3レンズ群の一部の2枚レンズを光軸に対して垂直に移動させるものが提案されている。
【０００５】
【特許文献１】特開２００７−３７７６号公報
【特許文献２】特開２００７−１２７６９４号公報
【特許文献３】特開２００７−２１２８４７号公報
【発明の開示】
【発明が解決しようとする課題】
【０００６】
引用文献１のズームレンズにおいては、広角端から望遠端までレンズ位置が変化する際に、第２レンズ群が像側へ移動するとともに、第4群が像面位置の変動を補正するように移動し、第1群と第3群が光軸方向に固定され、正・負・正・正4成分のレンズで構成されており、第3レンズ群は負部分群と、負部分群の像側に配置された正部分群とにより構成され、正部分群を光軸に垂直な方向にシフトさせることで像を光軸に垂直な方向にシフトさせることが可能であり、以下の数値規定を特徴としている。
即ち、次の条件式
1）1.4＜｜ｆ3ｎ｜／ｆ3＜3
2）-0.3＜（Rn＋Rp）／（Rn−Rp）＜0.3
3）0＜（Rp1＋Rｐ2）／（Rp1−Rp2）＜2
4）0.42＜｜ｆ2｜／（ｆｗ・ｆｔ）1/2＜0.5
5)  0.8＜Dt／Z2＜1.2
但し
ｆ3ｎ  ：第3レンズ群中に配置される負部分群の焦点距離
ｆ2    ：第2レンズ群の焦点距離
ｆ3    ：第3レンズ群の焦点距離
ｆw    ：広角端状態におけるレンズ
Rp1    ：第3レンズ群中に正部分群の最も像側に配置される正レンズの物体側レンズ面の
曲率半径
Rp2    ：第3レンズ群中に正部分群の最も像側に配置される正レンズの像側レンズ面の
曲率半径
Dt    ：望遠端状態において開口絞りから第4レンズ群の最も像面側のレンズ面までの
光軸に沿った距離
Z2    ：広角端状態から望遠端状態までレンズ位置状態が変化する際の第2レンズ群の
移動量
である。
【０００７】
引用文献１のズームレンズにおいてはズーム比が２０倍程度と大きい。しかし、引用文献１のズームレンズは、広角端の画角が５８°が狭い問題があった（ＡＰＳ画面の場合焦点距離３９ｍｍ）。
【０００８】
引用文献２のズームレンズにおいては、広角端から望遠端までレンズ位置が変化する際に、第２レンズ群が像側へ移動するとともに、第4群が像面位置の変動を補正するように移動し、第1群と第3群が光軸方向に固定され、正・負・正・正4成分のレンズで構成されており、第3レンズ群は負部分群と、負部分群の像側に配置された正部分群とにより構成され、正部分群を光軸に垂直な方向にシフトさせることで像を光軸に垂直な方向にシフトさせることが可能であり、以下の数値規定を特徴としている。
即ち、次の条件式
を満足することを特徴する4群ズームレンズ。
1）1.2＜｜ｆ3ｎ｜／ｆ4
2）0.9＜ｆ3ｐ／ｆ4
3）0.2＜｜1/Ra＋1/Rb｜・ｆｗ＜0.4
但し
ｆ3ｎ  ：第3レンズ群中に配置される負部分群の焦点距離
ｆ3ｐ  ：第3レンズ群中に配置される正部分群の焦点距離
ｆ4    ：第4レンズ群の焦点距離
ｆw    ：広角端状態におけるレンズ全系での焦点距離
Ra     ：第3レンズ群中に配置される負部分群中の負レンズの物体側レンズ面の曲率半径
Rb     ：第3レンズ群中に配置される負部分群中の正レンズの物体側レンズ面の曲率半径
【０００９】
引用文献２のズームレンズにおいてはズーム比が２０倍程度と大きい。しかし、引用文献１のズームレンズは、広角端の画角が５８°が狭い問題があった（ＡＰＳ画面の場合焦点距離３９ｍｍ）。
【００１０】
引用文献３のズームレンズにおいては、物体側より正、負、正、正の4群構成のズームレンズで、第3レンズ群は、固定の負レンズ群と光軸に垂直な方向に移動可能で光軸のブレによる像の移動を補正できる正部分群とからなる、以下の数値規定を特徴としている。
すなわち、次の条件式を満足することを特徴する4群ズームレンズ。
1）-2＜SAB・FN2・ｆｗ／ｆ32＜-0.1
2）-0.9＜SAA／SAB＜-0.003
3）｜S2／ｆ31｜  ≦  0.15
4）S2／ｆ32  ≦  0.2
但し
ｆｗ  ：レンズ全系の広角端での焦点距離
FN    ：レンズ全系の広角端での開放Fナンバー
SAA   ：第3レンズ群中に配置される負部分群の非球面をその近軸球面に置き換えたとき
の広角端で開放Fナンバーにおけるレンズ系の球面収差量の値
SAB   ：第3レンズ群中に配置される正部分群の非球面をその近軸球面に置き換えたとき
の広角端で開放Fナンバーにおけるレンズ系の球面収差量の値
ｆ31  ：第3レンズ群中に配置される負部分群の焦点距離
ｆ32  ：第3レンズ群中に配置される正部分群の焦点距離
S2    ：望遠端における第2レンズ群と第3レンズ群との間の空気間隔
【００１１】
引用文献３のズームレンズは、広角端の画角が６９°と広い（ＡＰＳ画面の場合焦点距離３１．５ｍｍ）。しかし、引用文献３のズームレンズにおいてはズーム比が１２〜１５倍程度と小さい問題があった。
【００１２】
（発明の目的）
本発明は、従来の複数の撮像素子を用いる方式のカメラのズームレンズに関する上述した問題点に鑑みなされたものであって、諸収差が良好に補正され、ズーム比が２０倍程度と高倍率で、かつ広角端の画角が７５°以上と大きい高倍率広角ズームレンズを提供することを目的とする。
【課題を解決するための手段】
【００１３】
本発明は、物体側から像面側に向けて順に、正の屈折力の第１レンズ群Ｇ1、負の屈折力の第２レンズ群Ｇ2、正の屈折力の第３レンズ群Ｇ3、正の屈折力の第4レンズ群Ｇ4の4つレンズ群より成り、広角端から望遠端までレンズ位置が変化する際に、前記第2レンズ群Ｇ2が像側へ移動すると共に、前記4レンズ群Ｇ4が像面位置の変動を補償するように移動し、上記の第1レンズ群Ｇ1と第3レンズ群Ｇ3が光軸方向に固定され、ｆ１：第１レンズ群、ｆ２：第２レンズ群とするとき、
条件式（１）  |ｆ１/ｆ2|＞6.５
を満たすことを特徴とする高倍率広角ズームレンズである。
【００１４】
本発明はまた、物体側から像面側に向けて順に、正の屈折力の第１レンズ群Ｇ1、負の屈折力の第２レンズ群Ｇ2、正の屈折力の第３レンズ群Ｇ3、正の屈折力の第4レンズ群Ｇ4の4つレンズ群より成り、広角端から望遠端までレンズ位置が変化する際に、前記第2レンズ群Ｇ2が像側へ移動すると共に、前記4レンズ群Ｇ4が像面位置の変動を補償するように移動し、上記の第1レンズ群Ｇ1と第3レンズ群Ｇ3が光軸方向に固定され、ｆ１：第１レンズ群、ｆ２：第２レンズ群、ｆ1・1：第１レンズ群の第１レンズの焦点距離、ν1・１：第１レンズ群の第１レンズのアッベ数、ｆｗ：広角端の焦点距離とするとき、
条件式（１）  |ｆ１/ｆ2|＞６.５
条件式（２）  ０．４＜|ｆ1・1／（ν1×ｆｗ）|＜０．６
を満たし、第２レンズ群の少なくとも一面が非球面であることを特徴とする高倍率広角ズームレンズである。
【００１５】
本発明の実施態様は、ｆ1・1：第１レンズ群の第１レンズの焦点距離、ν1・１：第１レンズ群の第１レンズのアッベ数、ｆｗ：広角端の焦点距離とするとき、
条件式（２）  ０．４＜|ｆ1・1／（ν1×ｆｗ）|＜０．６
をさらに満たす高倍率広角ズームレンズである。
【００１６】
（条件式の説明）
条件式（１）は、広角化を達成するための条件であるとともに、歪曲収差、非点収差等を効率的に補正し、良好な光学性能を得るための条件である。条件式（１）の下限を超えると、コマ収差、歪曲収差の補正が困難になり、特に、広角端の収差補正の補正が困難になる。
【００１７】
条件式（２）は、広角化と高倍率化を両立達成させるため、第1レンズのパワーとアッベ数を最適化して、高倍率の色収差を良好に補正するための条件である。条件式（2）の下限を超えると、長波長側の色収差補正が困難となり、条件式（2）の上限を超えると、短波長側の色収差補正が困難になり、広角化も困難となる。
【００１８】
第２レンズ群の少なくとも一面が非球面であることは、広角端の歪曲収差と非点収差を効率よく補正することを可能にする。
【発明の効果】
【００１９】
本発明の高倍率広角ズームレンズによれば、諸収差が良好に補正され、ズーム比が２０倍程度と高倍率で、かつ広角端の画角が７５°以上と大きい高倍率広角ズームレンズを構成することができる効果を有する。
【発明を実施するための最良の形態】
【００２０】
（第１実施形態）
第１実施形態の広角防振ズームレンズの数値データは、表１に、最短焦点距離を１ｍｍに正規化して示される。表１において、Ｓは面番号、ＡＳＰＨは非球面、Ｒは曲率半径（ｍｍ）、Ｄは厚さまたは間隔（ｍｍ）、Ｎｄはｄ線（λ＝５８７．６nｍ）の屈折率、ＡＢνはｄ線に対するアッベ数である。
【００２１】
非球面は、
【数１】
2009294388.tif 000003
ｚ：非球面深さ
ｙ：高さ
Ｒ：近軸曲率半径
Ｋ、Ａ、Ｂ、Ｃ、Ｄ：非球面係数
で表され、表１に示される非球面係数を有する。
【００２２】
（表１）
S            R          D                 Nd      ABV
1         185.6556     0.4028           1.90366   31.31
2          13.4778     2.8310           1.49700   81.61
3         -45.0882     0.0355
4          14.5207     1.5745           1.72916   54.67
5          73.3948     0.0355
6          16.5815     1.0146           1.83481   42.72
7          41.1397     (D7)
8 ASPH     13.3663     0.0474           1.53610   41.20
9          10.7661     0.1896           1.88300   40.80
10           2.2512     1.7006
11          -3.6114     0.1422           1.62004   36.30
12           5.0993     0.7808           1.94595   17.98
13         -21.4719     (D13)
絞り         0.0000     1.1848
15 ASPH      4.4935     0.8294           1.68893   31.16
16         -29.5955     0.4739           1.83400   37.34
17           4.7393     0.3324
18           5.8020     0.1185           1.80610   33.27
19           3.6662     0.7453           1.48749   70.44
20         -28.9053     (D20)
21 ASPH      3.3229     1.4828           1.69350   53.34
22 ASPH     -6.7610     0.0355
23         -13.9305     0.1185           1.83400   37.34
24           2.4849     1.3766           1.49700   81.61
25          -7.4707     (D25)
26           0.0000     0.1019           1.51680   64.20
27           0.0000     0.4645           1.61800   63.39
28           0.0000     0.2915
29           0.0000     0.4028           1.51680   64.20
30           0.0000     3.6730           1.51680   64.20
31           0.0000
【００２３】
非球面係数
NO 8
K :0.000000
A :0.289736E-02   B :-.207478E-03   C :0.990963E-05   D :-.781114E-06
NO 15
K :0.000000
A :-.963562E-04   B :-.376299E-05   C :-.886104E-05   D :0.116385E-05
NO 21
K :0.000000
A :-.777717E-03   B :-.305060E-03   C :0.758612E-04   D :0.405168E-05
NO 22
K :0.000000
A :0.543664E-02   B :-.931646E-03   C :0.340591E-03   D :-.317582E-04
【００２４】
焦点距離       1.000       4.343       19.082
Ｆナンバー     1.6500      2.600        3.600
2ω           76.512      19.236        4.476
D7             0.1659      8.0156      12.0596
D13           12.3677      4.5178       0.4739
D20            3.3875      2.1578       2.1485
D25            0.4229      1.6528       1.6620
【００２５】
第１実施形態の広角防振ズームレンズは、図１に示すように、ズーム作動によって第２レンズ群Ｇ２ないし第４レンズ群Ｇ４が移動する。表１のＤ７，Ｄ１３，Ｄ２０，Ｄ２５は、ズーム作動における各焦点距離における間隔を示す。図1（ａ）は焦点距離１（ｍｍ）の状態を示し、図1（ｂ）は焦点距離４．３４３（ｍｍ）の状態を示し、図1（ｃ）は焦点距離１９．０８２８（ｍｍ）の状態を示す。
【００２６】
第１実施形態の広角防振ズームレンズの収差を、図２ないし図６に示す。図２ないし図６において、ＣはＣ線（６５６．２８ｎｍ）を示し、ｄはｄ線（５８７．５６ｎｍ）を示し、ｅはｅ線（５４６．０７ｎｍ）を示し、ＦはＦ線（４８６．１３ｎｍ）を示し、ｇはｇ線（４３５．８４ｎｍ）を示す。
図２は、広角端（焦点距離１ｍｍ）における収差を示し、（ａ）は球面収差、（ｂ）は非点収差、（ｃ）は歪曲収差を示す。
図３は、望遠端（焦点距離１９．０８２ｍｍ）における収差を示し、（ａ）は球面収差、（ｂ）は非点収差、（ｃ）は歪曲収差を示す。
【００２７】
図４は、広角端（焦点距離１ｍｍ）におけるコマ収差を示し、（ａ）は入射角度（半画角）３８．２５°、（ｂ）は入射角度（半画角）２８．５８°、（ｃ）は入射角度（半画角）２０．９３°、（ｄ）は入射角度（半画角）０°である。
【００２８】
図５は、望遠端（焦点距離１９．０８２ｍｍ）におけるコマ収差を示し、（ａ）は入射角度（半画角）２．２３８°、（ｂ）は入射角度（半画角）１．５６６°、（ｃ）は入射角度（半画角）１．１１９°、（ｄ）は入射角度（半画角）０°である。
【００２９】
第１実施形態の広角防振ズームレンズの条件式の値は、次のとおりである。
条件式（１）  |ｆ１/ｆ2|＝６．６６１
条件式（２）  ０．４＜|ｆ1・1／（ν1×ｆｗ）|＝０．５１４
【００３０】
（第２実施形態）
第２実施形態の広角防振ズームレンズの数値データは、表１に準じた表２に、最短焦点距離を１ｍｍに正規化して示される。
【００３１】
（表２）
S            R          D               Nd       ABV
1         187.9572     0.3910         1.90366   31.31
2          14.5051     2.5979         1.49700   81.61
3         -43.7127     0.0355
4          14.6879     1.5034         1.72916   54.67
5          84.1369     0.0355
6          16.2351     0.8569         1.83481   42.72
7          32.0543     (D7)
8 ASPH     13.9932     0.0474         1.53610   41.20
9          10.1102     0.1896         1.88300   40.80
10           2.1564     1.5658
11          -3.2917     0.1422         1.88300   40.80
12         -14.2180     0.0355
13          25.7072     0.1422         1.90366   31.31
14           9.7156     0.6672         1.94595   17.98
15          -9.7156     (D15)
絞り         0.0000     1.1848
17           3.9627     0.7054         1.66680   33.05
18          72.3795     0.2133         1.81474   37.03
19 ASPH      4.3789     0.4823
20           8.9702     0.1422         1.80610   33.27
21           5.3991     0.7017         1.48749   70.44
22         -14.5476     (D22)
23 ASPH      3.4274     1.5403         1.69350   53.34
24 ASPH     -8.8883     0.0355
25         -19.9651     0.1422         1.83400   37.34
26           2.4171     1.1256         1.49700   81.61
27          -7.6964     (D27)
28           0.0000     0.1019         1.51680   64.20
29           0.0000     0.4645         1.61800   63.39
30           0.0000     0.2915
31           0.0000     0.4028         1.51680   64.20
32           0.0000     3.6730         1.51680   64.20
33           0.0000
【００３２】
非球面係数
NO 8
K :0.000000
A :0.441430E-02   B :-.302347E-03   C :0.942323E-05   D :-.779714E-06
NO 19
K :0.000000
A :0.619937E-03   B :0.238222E-04   C :0.207710E-05   D :0.520394E-06
NO 23
K :0.000000   KC : 100
A :-.472346E-03   B :-.153297E-03   C :0.316449E-04   D :0.293466E-05
NO 24
K :0.000000   KC : 100
A :0.389191E-02   B :-.346053E-03   C :0.935950E-04   D :-.330355E-05
【００３３】
焦点距離       1.0000      4.5023     19.1001
Ｆナンバー     1.6500      2.5600      3.5000
2ω           76.702      18.512       4.477
D7             0.21327     8.50533    12.52530
D15           12.78615     4.49412     0.47393
D22            3.69930     2.34682     2.09961
D27            0.61417     1.96649     2.21405
【００３４】
第２実施形態の広角防振ズームレンズは、図６に示すように、ズーム作動によって第２レンズ群Ｇ２ないし第４レンズ群Ｇ４が移動する。表２のＤ７，Ｄ１５，Ｄ２２，Ｄ２７は、ズーム作動における各焦点距離における間隔を示す。図６（ａ）は焦点距離１（ｍｍ）の状態を示し、図６（ｂ）は焦点距離４．５０２３（ｍｍ）の状態を示し、図６（ｃ）は焦点距離１９．１００１（ｍｍ）の状態を示す。
【００３５】
第２実施形態の広角防振ズームレンズの収差を、図２ないし図５に準じた図７ないし図１０に示す。
図７は、広角端（焦点距離１ｍｍ）における収差を示し、（ａ）は球面収差、（ｂ）は非点収差、（ｃ）は歪曲収差を示す。
図８は、望遠端（焦点距離１９．１００１ｍｍ）における収差を示し、（ａ）は球面収差、（ｂ）は非点収差、（ｃ）は歪曲収差を示す。
【００３６】
図９は、広角端（焦点距離１ｍｍ）におけるコマ収差を示し、（ａ）は入射角度（半画角）３８．３５°、（ｂ）は入射角度（半画角）２８．５５°、（ｃ）は入射角度（半画角）２０．９２°、（ｄ）は入射角度（半画角）０°である。
【００３７】
図１０は、望遠端（焦点距離１９．１００１ｍｍ）におけるコマ収差を示し、（ａ）は入射角度（半画角）２．２３８°、（ｂ）は入射角度（半画角）１．５６５°、（ｃ）は入射角度（半画角）１．１１９°、（ｄ）は入射角度（半画角）０°である。
【００３８】
第２実施形態の広角防振ズームレンズの条件式の値は、次のとおりである。
条件式（１）  |ｆ１/ｆ2|＝６．９０１
条件式（２）  ０．４＜|ｆ1・1／（ν1×ｆｗ）|＝０．５５６
【００３９】
（第３実施形態）
第３実施形態の広角防振ズームレンズの数値データは、表１に準じた表３に、最短焦点距離を１ｍｍに正規化して示される。
【００４０】
（表３）
S            R          D                Nd        ABV
1         187.2038     0.4028          1.90366    31.31
2          14.5735     2.5960          1.49700    81.61
3         -44.7867     0.0355
4          14.7986     1.5404          1.72916    54.67
5          95.9716     0.0355
6          16.3270     0.8559          1.83481    42.72
7          31.2796     (D7)
8 ASPH     17.6748     0.0474          1.53610    41.20
9          11.7523     0.1896          1.88300    40.80
10           2.1934     1.5313
11          -3.3743     0.1422          1.88300    40.80
12         -14.2180     0.0355
13          26.5108     0.1422          1.90366    31.31
14           9.6641     0.6703          1.94595    17.98
15          -9.6641     (D15)
絞り         0.0000     1.1848
17 ASPH      3.4609     0.7833          1.68893    31.16
18          44.0876     0.1422          1.80610    33.27
19           3.6180     0.5368
20           8.0360     0.1422          1.80610    33.27
21           4.9364     0.7131          1.48749    70.44
22         -15.9885     3.6402
23 ASPH      3.3850     1.5006          1.69350    53.34
24 ASPH     -8.8783     0.0355
25         -20.0260     0.1422          1.83400    37.34
26           2.4171     1.1653          1.49700    81.61
27          -7.7420     (D27)
28           0.0000     0.1019          1.51680    64.20
29           0.0000     0.4645          1.61800    63.39
30           0.0000     0.2915
31           0.0000     0.4028          1.51680    64.20
32           0.0000     3.6730          1.51680    64.20
33           0.0000     0.00
【００４１】
非球面係数
NO 8
K :0.000000
A :0.455156E-02   B :-.351639E-03   C :0.207200E-04   D :-.141884E-05
NO 17
K :0.000000
A :-.599626E-03   B :-.315997E-04   C :-.512130E-05   D :-.300620E-06
NO 23
K :0.000000
A :-.467940E-03   B :-.302658E-03   C :0.654116E-04   D :-.204795E-05
NO 24
K :0.000000
A :0.411688E-02   B :-.619840E-03   C :0.162231E-03   D :-.120261E-04
【００４２】
焦点距離       1.000       4.500     19.042
Ｆナンバー     1.65        2.60       3.60
2ω           76.76       18.52       4.487
D7             0.2133      8.5862    12.6312
D15           12.8918      4.5189     0.4739
D22            3.6402      2.2958     2.0626
D27            0.4803      1.8247     2.0578
【００４３】
第３実施形態の広角防振ズームレンズは、図１１に示すように、ズーム作動によって第２レンズ群Ｇ２ないし第４レンズ群Ｇ４が移動する。表２のＤ７，Ｄ１５，Ｄ２２，Ｄ２７は、ズーム作動における各焦点距離における間隔を示す。図１１（ａ）は焦点距離１（ｍｍ）の状態を示し、図１１（ｂ）は焦点距離４．５０００（ｍｍ）の状態を示し、図１１（ｃ）は焦点距離１９．０４２（ｍｍ）の状態を示す。
【００４４】
第３実施形態の広角防振ズームレンズの収差を、図２ないし図５に準じた図１２ないし図１５に示す。
図１２は、広角端（焦点距離１ｍｍ）における収差を示し、（ａ）は球面収差、（ｂ）は非点収差、（ｃ）は歪曲収差を示す。
図１３は、望遠端（焦点距離１９．０４２ｍｍ）における収差を示し、（ａ）は球面収差、（ｂ）は非点収差、（ｃ）は歪曲収差を示す。
【００４５】
図１４は、広角端（焦点距離１ｍｍ）におけるコマ収差を示し、（ａ）は入射角度（半画角）３８．３８°、（ｂ）は入射角度（半画角）２８．６１°、（ｃ）は入射角度（半画角）２０．９４°、（ｄ）は入射角度（半画角）０°である。
【００４６】
図１５は、望遠端（焦点距離１９．０４２ｍｍ）におけるコマ収差を示し、（ａ）は入射角度（半画角）２．２４３°、（ｂ）は入射角度（半画角）１．５７０°、（ｃ）は入射角度（半画角）１．１２１°、（ｄ）は入射角度（半画角）０°である。
【００４７】
第３実施形態の広角防振ズームレンズの条件式の値は、次のとおりである。
条件式（１）  |ｆ１/ｆ2|＝６．９６１
条件式（２）  ０．４＜|ｆ1・1／（ν1×ｆｗ）|＝０．５５９
【００４８】
引用文献１の実施形態１の条件式（１）は|ｆ１/ｆ2|＝６．３９８、条件式（２）の値は１．４４６５ある。
引用文献１の実施形態２の条件式（１）は|ｆ１/ｆ2|＝６．２７６、条件式（２）の値は１．７１３である。
引用文献１の実施形態３の条件式（１）は|ｆ１/ｆ2|＝６．２８３、条件式（２）の値は１．６５６である。
引用文献１の実施形態４の条件式（１）は|ｆ１/ｆ2|＝６．１５２、条件式（２）の値は０．６９２である。
【００４９】
引用文献２の実施形態１の条件式（１）は|ｆ１/ｆ2|＝５．７２８、条件式（２）の値は０．７２２ある。
引用文献２の実施形態２の条件式（１）は|ｆ１/ｆ2|＝５．７９７、条件式（２）の値は０．６９６である。
引用文献２の実施形態３の条件式（１）は|ｆ１/ｆ2|＝５．７４５、条件式（２）の値は０．７０５である。
【００５０】
引用文献３の実施形態１の条件式（１）は|ｆ１/ｆ2|＝５．０９９、条件式（２）の値は０．６３９である。
引用文献３の実施形態２の条件式（１）は|ｆ１/ｆ2|＝５．６１８、条件式（２）の値は０．８４０ある。
引用文献３の実施形態３の条件式（１）は|ｆ１/ｆ2|＝５．６２３、条件式（２）の値は０．７３６である。
引用文献３の実施形態４の条件式（１）は|ｆ１/ｆ2|＝５．６７８、条件式（２）の値は０．８５４である。
引用文献３の実施形態５の条件式（１）は|ｆ１/ｆ2|＝５．５１３、条件式（２）の値は０．７４４である。
引用文献３の実施形態６の条件式（１）は|ｆ１/ｆ2|＝５．６４１、条件式（２）の値は０．８３４ある。
引用文献３の実施形態７の条件式（１）は|ｆ１/ｆ2|＝４．２７２、条件式（２）の値は０．３７２である。
【図面の簡単な説明】
【００５１】
【図１】本発明の第１実施形態の広角防振ズームレンズの光学断面図である。
【図２】本発明の第１実施形態の広角防振ズームレンズの広角端の球面収差、非点収差、歪曲収差の収差図である。
【図３】本発明の第１実施形態の広角防振ズームレンズの望遠端の球面収差、非点収差、歪曲収差の収差図である。
【図４】本発明の第１実施形態の広角防振ズームレンズの広角端のコマ収差の収差図である。
【図５】本発明の第１実施形態の広角防振ズームレンズの望遠端のコマ収差の収差図である。
【図６】本発明の第２実施形態の広角防振ズームレンズの光学断面図である。
【図７】本発明の第２実施形態の広角防振ズームレンズの広角端の球面収差、非点収差、歪曲収差の収差図である。
【図８】本発明の第２実施形態の広角防振ズームレンズの望遠端の球面収差、非点収差、歪曲収差の収差図である。
【図９】本発明の第２実施形態の広角防振ズームレンズの広角端のコマ収差の収差図である。
【図１０】本発明の第２実施形態の広角防振ズームレンズの望遠端のコマ収差の収差図である。
【図１１】本発明の第３実施形態の広角防振ズームレンズの光学断面図である。
【図１２】本発明の第３実施形態の広角防振ズームレンズの広角端の球面収差、非点収差、歪曲収差の収差図である。
【図１３】本発明の第３実施形態の広角防振ズームレンズの望遠端の球面収差、非点収差、歪曲収差の収差図である。
【図１４】本発明の第３実施形態の広角防振ズームレンズの広角端のコマ収差の収差図である。
【図１５】本発明の第３実施形態の広角防振ズームレンズの望遠端のコマ収差の収差図である。
【符号の説明】
【００５２】
Ｌ        レンズ
Ｇ        レンズ群
Ｓ        絞り
Ｆ        フィルタ
Ｐ        プリズム
【図１】
2009294388.tif 000004
【図２】
2009294388.tif 000005
【図３】
2009294388.tif 000006
【図４】
2009294388.tif 000007
【図５】
2009294388.tif 000008
【図６】
2009294388.tif 000009
【図７】
2009294388.tif 000010
【図８】
2009294388.tif 000011
【図９】
2009294388.tif 000012
【図１０】
2009294388.tif 000013
【図１１】
2009294388.tif 000014
【図１２】
2009294388.tif 000015
【図１３】
2009294388.tif 000016
【図１４】
2009294388.tif 000017
【図１５】
2009294388.tif 000018